(57)【要約】【課題】光学系部品を直接的に冷却することにより光学系部品を効果的に冷却できると共に、塵埃等の不都合を抑制した画像装置を提供する。【解決手段】画像装置は、画像を形成する光が通過する光路に配置され光を透過または反射する光学系部品を有する。光を透過可能な透光用窓開口２を有する熱伝導性をもつ材料で形成された熱伝導部材１（１１，１２，１３）と、熱伝導部材１（１１，１２，１３）を冷却する冷却手段３とを有する。光学系部品の少なくとも一部５，６は、熱伝導部材１の透光用窓開口２１，２２，２３に対面するように熱伝導部材１（１１，１２，１３）に配設されており、冷却手段３により熱伝導部材１（１１，１２，１３）を介して冷却される。【選択図】  図３
2004317956.tif 000002
【特許請求の範囲】
【請求項１】
画像を形成する光が通過する光路に配置された光学系部品を有する画像装置において、
熱伝導性をもつ材料で形成された熱伝導部材と、前記熱伝導部材を冷却する冷却手段とを具備しており、
前記光学系部品の少なくとも一部は前記熱伝導部材に配設されており、前記冷却手段により前記熱伝導部材を介して冷却されることを特徴とする画像装置。
【請求項２】
画像を形成する光が通過する光路に配置された光学系部品を有する画像装置において、
光を透過可能な透光用窓開口を有する熱伝導性をもつ材料で形成された熱伝導部材と、前記熱伝導部材を冷却する冷却手段とを具備しており、
前記光学系部品の少なくとも一部は、前記熱伝導部材の前記透光用窓開口に対面するように前記熱伝導部材に配設されており、前記冷却手段により前記熱伝導部材を介して冷却されることを特徴とする画像装置。
【請求項３】
請求項１または請求項２において、前記光学系部品は複数個設けられており、一方の光学系部品は前記熱伝導部材の一方の片面に配設され、他方の光学系部品は前記熱伝導部材の他方の片面に配設されていることを特徴とする画像装置。
【請求項４】
請求項１または請求項２において、前記光学系部品は複数個設けられており、前記熱伝導部材は、前記複数の光学系部品のうちの少なくとも一つの光学系部品を配設した第１熱伝導部材と、前記複数の光学系部品のうちの別の光学系部品を配設した第２熱伝導部材とを有しており、
前記第２熱伝導部材の冷却能は前記第１熱伝導部材の冷却能よりも大きく設定されていることを特徴とする画像装置。
【請求項５】
請求項１〜請求項４のうちのいずれか一項において、前記冷却手段はペルチェ素子装置、ヒートパイプ、冷凍機のうちの少なくとも一つであることを特徴とする画像装置。
【請求項６】
厚み方向に貫通する透光用窓開口を有する枠状をなすことを特徴とするペルチェ素子装置。
【発明の詳細な説明】
【０００１】
【発明の属する技術分野】
本発明はプロジェクタ装置等の画像装置、画像装置等に使用されるペルチェ素子装置に関する。
【０００２】
【従来の技術】
従来、画像を形成する光が通過する光路に配置され光を透過または反射する光学系部品を有する画像装置が提供されている。この画像装置によれば、光学系部品が光を吸収したり、反射したりすると、光が光学系部品に吸収され、熱となって光学系部品の温度上昇を引き起こすことがあり、これにより光学系部品の劣化が進行するおそれがある。近年、画像装置の高性能化に伴い、光源の光量が増加する傾向にある。このため光学系部品の劣化が促進されるおそれがある。
【０００３】
そこで、特許文献１に係る技術が開発されている。このものによれば、熱伝導性の良好な材料で形成した熱伝導板を光学ブロック内の光学室に設け、ファンにより空気を循環させる循環風を形成することにより、光学ブロックの光学室内の熱伝導板を循環風により冷却し、光学系部品の冷却性を高めている。更に特許文献１には、熱伝導板をヒートパイプまたはペルチェ素子で冷却する技術が開示されている。
【０００４】
【特許文献１】特開平１０−２５４０６２号
【０００５】
【発明が解決しようとする課題】
上記した特許文献１に係る技術によれば、熱伝導性の良好な材料で形成した熱伝導板を光学ブロック内の光学室に設け、ファンにより空気を循環させる循環風を形成することにより、光学ブロックの光学室内の熱伝導板を循環風により冷却し、これにより光学系部品を冷却することにしている。このため熱伝導板−循環風、循環風−光学系部品といった少なくとも２回の熱交換が必要される。このため熱交換のロスにより光学系部品を効果的に冷却しにくいという不具合がある。
【０００６】
即ち、上記した特許文献１に係る技術によれば、熱伝導板をヒートパイプまたはペルチェ素子で冷却するものの、熱伝導板と光学系部品とは非接触であり、熱伝導板により光学系部品を直接的に冷却するものではなく、ファンにより循環風を形成し、循環風を介して間接的に光学系部品を冷却している。このため光学系部品の冷却には限界がある。
【０００７】
本発明は上記した実情に鑑みてなされたものであり、光学系部品を熱伝導部材により直接的に冷却することにより光学系部品を効果的に冷却でき、光学系部品の熱劣化を抑制でき、光学系部品の長寿命化を図り得る画像装置を提供することを課題とする。
【０００８】
【課題を解決するための手段】
（１）第１様相の本発明の画像装置は、画像を形成する光が通過する光路に配置された光学系部品を有する画像装置において、
熱伝導性をもつ材料で形成された熱伝導部材と、熱伝導部材を冷却する冷却手段とを具備しており、
光学系部品の少なくとも一部は熱伝導部材に配設されており、冷却手段により前記熱伝導部材を介して冷却されることを特徴とするものである。
【０００９】
第１様相の本発明に係る画像装置によれば、光学系部品の少なくとも一部は、熱伝導部材に配設されており、冷却手段により冷却される熱伝導部材を介して冷却される。このように熱伝導部材に配設されている光学系部品は、熱伝導部材により直接的に冷却され、当該光学系部品の温度上昇が抑制され、当該光学系部品の熱劣化が抑制される。
【００１０】
（２）第２様相の本発明の画像装置は、画像を形成する光が通過する光路に配置された光学系部品を有する画像装置において、
光を透過可能な透光用窓開口を有する熱伝導性をもつ材料で形成された熱伝導部材と、熱伝導部材を冷却する冷却手段とを具備しており、
光学系部品の少なくとも一部は、熱伝導部材の透光用窓開口に対面するように前記熱伝導部材に配設されており、冷却手段により熱伝導部材を介して冷却されることを特徴とするものである。
【００１１】
第２様相の本発明に係る画像装置によれば、光学系部品の少なくとも一部は、熱伝導部材の透光用窓開口に対面するように熱伝導部材に配設されており、冷却手段により冷却される熱伝導部材を介して冷却される。このように熱伝導部材に配設されている光学系部品は、熱伝導部材により直接的に冷却され、当該光学系部品の温度上昇が抑制され、当該光学系部品の熱劣化が抑制される。熱伝導部材に形成されている透光用窓開口は光を透過可能である光路を遮らず、従って液晶パネルや偏光板等の光学系部品を透光用窓開口に取り付けることができる。このため液晶パネルや偏光板等の光学系部品の光路を確保しつつ、光学系部品を冷却することができる
（３）第３様相の本発明に係るペルチェ素子装置は、厚み方向に貫通する透光用窓開口を有する枠状をなすことを特徴とするものである。
【００１２】
第３様相の本発明に係るペルチェ素子装置によれば、透光用窓開口は光を透過可能であるため、光路を遮ることなく、液晶パネルや偏光板等の光学系部品を透光用窓開口に取り付けることができる。このため液晶パネルや偏光板等の光学系部品の光路を確保しつつ、光学系部品をペルチェ素子装置により冷却することができる。
【００１３】
【発明の実施の形態】
本発明によれば、光学系部品は複数個設けられており、一方の光学系部品は熱伝導部材の一方の片面に配設され、他方の光学系部品は熱伝導部材の他方の片面に配設されている形態を例示できる。これにより複数の光学系部品を熱伝導部材により効果的に冷却できる。熱伝導部材は、透光用窓開口を有する枠状に形成されていることが好ましい。
【００１４】
冷却手段は熱伝導部材を冷却するものである。冷却手段としては、冷却機能を有するものであれば特に限定されず、ペルチェ効果により吸熱作用を発揮するペルチェ素子、冷媒の吸熱作用を発揮するヒートパイプを例示できる。場合によっては、冷却手段としては、窒素、酸素、ヘリウム、フロン等を冷媒とするパルス管冷凍機、スターリング冷凍機等の冷凍機も採用することもできる。
【００１５】
熱伝導部材は、熱伝導性をもつ部材を複数組み付けて一体的に形成することができる。この場合、複数の部材は、互いに熱的に接触し伝熱可能とされており、熱移動可能とされている形態を例示できる。
【００１６】
更に複数の部材に複数の冷却手段をそれぞれ個別に独立させて設ける形態を採用できる。この場合、複数の冷却手段のうちのいずれか一つが万一故障したときでも、複数の部材が互いに伝熱可能とされていれば、正常に作動する冷却手段により熱伝導部材の全体を冷却でき、信頼性の一層の向上を図り得る。
【００１７】
光学系部品は複数個設けられており、熱伝導部材は、複数の光学系部品のうちの少なくとも一つの光学系部品を配設した第１熱伝導部材と、複数の光学系部品のうちの別の光学系部品を配設した第２熱伝導部材とを有しており、第２熱伝導部材の冷却能は第１熱伝導部材の冷却能よりも大きく設定されている形態を例示できる。
【００１８】
光学系部品の種類によっては、光の波長により光学系部品の温度を上昇させる傾向は必ずしも同一ではないことがある。そこで第２熱伝導部材の冷却能が第１熱伝導部材の冷却能よりも大きく設定されていれば、昇温させる傾向にある光が通過する光路に第２熱伝導部材を配置すれば、上記した事情に対処することができる。
【００１９】
第２熱伝導部材の冷却能を、第１熱伝導部材の冷却能よりも大きく設定するにあたり、次のような方式が挙げられる。すなわち、第２熱伝導部材の熱伝導が第１熱伝導部材の熱伝導よりも大きく設定される方式を例示できる。この場合、第２熱伝導部材の板厚が第１熱伝導部材の板厚よりも大きく設定される方式を例示できる。更に、第２熱伝導部材の材質が第１熱伝導部材の材質よりも熱伝達率が高い方式を例示できる。また、第２熱伝導部材を冷却する冷却手段の単位時間当たりの冷却能力が、第１熱伝導部材を冷却する冷却手段の単位時間当たりの冷却能力よりも大きく設定されている形態を例示できる。
【００２０】
経験的には、赤色、緑色、青色の光のうち、青色の波長をもつ光は光学系部品の温度を上昇させる傾向が強いことが知見される。このため、赤色用の光路、緑色用の光路、青色用の光路が設けられている場合には、青色の波長をもつ光が透過する光路側に配置された熱伝導部材の冷却能は、他の色の波長をもつ光が透過する光路側に配置された第１熱伝導部材の冷却能よりも大きく設定されている形態を例示できる。
【００２１】
本発明に係る画像装置としては、画像を形成する光が通過する光路に配置された光学系部品を有するものであれば良い。画像装置としては、プロジェクタ装置を例示でき、原紙の情報を拡大して画像化するものでも良いし、画像情報信号を映像化するもの等でも良い。
【００２２】
【実施例】
（第１実施例）
以下、本発明の第１実施例を図１〜図４を参照して具体的に説明する。本実施例に係る画像装置は画像形成用のプロジェクタ装置である。プロジェクタ装置は、図１に示すように熱伝導部材１を有する。熱伝導部材１は、光を透過可能な厚み方向に貫通する透光用窓開口２を有する熱伝導性をもつ材料で形成されている。熱伝導性をもつ材料としてはアルミニウム、アルミニウム合金、銅、銅合金、鋼板等を例示できる。
【００２３】
図１に示すように、熱伝導部材１は、板状の第１熱伝導部材１１と板状の第２熱伝導部材１２と板状の第３熱伝導部材１３と板状の第４熱伝導部材１４とを溶接や螺子止め等で組み付けて形成されており、４面体を構成している。
【００２４】
第１熱伝導部材１１は、赤色（Ｒ）の波長を透過させる光路（第１光路）に関するものである。第２熱伝導部材１２は、青色（Ｂ）の波長を透過させる光路（第２光路）に関するものである。第３熱伝導部材１３は、緑色（Ｇ）の波長を透過させる光路（第１光路）に関するものである。
【００２５】
ここで、図１に示すように、第１熱伝導部材１１と第２熱伝導部材１２と第３熱伝導部材１３とは、全体として断面コの字形状をなすコの字体３００を構成している。第４熱伝導部材１４は、コの字体の底板３０１を構成し、コの字体３００の強度及び剛性を高める。
【００２６】
図１に示すように、第１熱伝導部材１１は四角枠状をなしており、中央域に四角形状の第１透光用窓開口２１を有する。第２熱伝導部材１２は四角枠状をなしており、中央域に四角形状の第２透光用窓開口２２を有する。第３熱伝導部材１３は四角枠状をなしており、中央域に四角形状の第３透光用窓開口２３を有する。第４熱伝導部材１４は四角枠状をなしており、透光用窓開口２を有しない。
【００２７】
熱伝導性をもつ材料で形成されている第１熱伝導部材１１〜第４熱伝導部材１４間においては、互いに伝熱可能とされており、熱移動可能とされている。
【００２８】
図２に示すように、第４熱伝導部材１４の底面には、冷却手段としてのペルチェ素子装置３が接着剤または螺子止め等により一体的に取り付けられている。ペルチェ素子装置３は、熱電素子であるペルチェ素子を多数搭載したものであり、互いに背向する吸熱作用を奏する吸熱面３ａと放熱作用を奏する放熱面３ｂとを有する。ペルチェ素子装置３の吸熱面３ａが第４熱伝導部材１４の底面に取り付けられている。
【００２９】
従ってペルチェ素子装置３が通電されて作動すると、ペルチェ素子装置３の吸熱面３ａから第４熱伝導部材１が吸熱されて冷却される。この結果、第１熱伝導部材１１と第２熱伝導部材１２と第３熱伝導部材１３とが冷却される。
【００３０】
図２，図３に示すように、ペルチェ素子装置３の放熱面３ｂには、放熱面積を増加させる放熱フィン４ａをもつヒートシンク４が一体的に設けられている。ヒートシンク４は熱伝導性をもつ材料で形成されている。
【００３１】
ヒートシンク４の材料としては例えば、アルミニウム、アルミニウム合金、銅、銅合金、鋼等を例示できる。ヒートシンク４は自然冷却させる形態でも良いし、あるいは、ファンにより空冷させる方式でも良い。
【００３２】
ファンにより空冷させる場合には、後述する液晶パネル５及び偏光板６等といった光学系部品に塵埃等が付着することを抑えるために、液晶パネル５及び偏光板６とヒートシンク４とを仕切板４ｂで仕切り、光路への塵埃等の進入を防止することが好ましい。
【００３３】
本実施例によれば、図３から理解できるように、光学系部品として３個の液晶パネル５及び３個の偏光板６が熱伝導部材１に配設されている。液晶パネル５は、液晶材料を基材とする透光部５ａと、透光部５ａを保持する枠５ｂとを有する。３個の液晶パネル５は、それぞれ、赤色（Ｒ）用、青色（Ｂ）用、緑色（Ｇ）用を構成する。液晶パネル５の透光部５ａは、縦方向及び横方向に並設された透光及び遮光可能な多数の画素を有する。画素の透光及び遮光により画像が形成される。
【００３４】
また、偏光板６は、偏光を防止する偏光材料（樹脂）を基材とする透光部６ａと、透光部６ａを保持する枠６ｂとを有している。３個の偏光板６は、それぞれ、赤色（Ｒ）用、青色（Ｂ）用、緑色（Ｇ）用を構成する。
【００３５】
なお、図３に示すように、４面体を構成する熱伝導部材１の中央域の室１ｒには、赤色（Ｒ）の光、青色（Ｂ）の光、緑色（Ｇ）の光を合成するプリズム２００が配置されている。
【００３６】
図４に模式的に示すように、液晶パネル５の枠５ｂは、第１熱伝導部材１１の一方の片面に接着剤または螺子止めにより固定されている。これにより液晶パネル５は第１熱伝導部材１１の一方の片面に配設されている。また、偏光板６の枠６ｂは、第１熱伝導部材１１の他方の片面に接着剤または螺子止めにより固定されている。これにより偏光板６は第１熱伝導部材１１の他方の片面に配設されている。
【００３７】
この結果、図４に示すように、液晶パネル５の透光部５ａ及び偏光板６の透光部６ａが第１熱伝導部材１１の第１透光用窓開口２１に対面するように、液晶パネル５及び偏光板６は第１熱伝導部材１１に配設されている。即ち、図４に示すように、液晶パネル５及び偏光板６は、第１熱伝導部材１１をこれの厚み方向において挟むように第１熱伝導部材１１に保持されている。
【００３８】
第２熱伝導部材１２についても同様である。即ち、液晶パネル５の枠５ａは、第２熱伝導部材１２の一方の片面に接着剤により固定されて配設されている。偏光板６の枠６ａは、第２熱伝導部材１２の他方の片面に接着剤により固定されて配設されている。この結果、液晶パネル５及び偏光板６は、第２熱伝導部材１２の第２透光用窓開口２２に対面するように第２熱伝導部材１２に配設されている。
【００３９】
ここで、図３に示すように、偏光板６は熱伝導部材１の外側に配置されており、液晶パネル５は熱伝導部材１の内側に配置されている。即ち、偏光板６は４面体を構成する熱伝導部材１の中央域の室１ｒの外側に位置すると共に、液晶パネル５は室１ｒの内側に配置されている。これは光路に対して垂直方向すなわち液晶パネルの面方向において偏光の少ないできるだけ均一な光を投影するためである。
【００４０】
第３熱伝導部材１３についても同様に、液晶パネル５及び偏光板６が配設されている。なお、第４熱伝導部材１４には液晶パネル５及び偏光板６が配設されていない。
【００４１】
本実施例によれば、使用の際には、ペルチェ素子装置３が通電されてペルチェ素子装置３の吸熱面３ａに吸熱作用が発生する。すると第１熱伝導部材１１〜第４熱伝導部材１４が吸熱されて冷却される。これにより液晶パネル５及び偏光板６は、吸熱された第１熱伝導部材１１〜第４熱伝導部材１４により冷却される。即ち、液晶パネル５及び偏光板６は、空気を介することなく、熱伝導性が良好な材料で形成され且つ吸熱される熱伝導部材１により直接的に冷却される。
【００４２】
このため液晶パネル５及び偏光板６の冷却を効果的に行うことができ、液晶パネル５及び偏光板６の温度上昇及び熱劣化を効果的に抑制でき、液晶パネル５及び偏光板６の長寿命化を図り得る。
【００４３】
なお本実施例によれば、ファンによる送風を利用しない場合には、塵埃等が液晶パネル５及び偏光板６等の光学系部品に吹き付けられる不具合を解消できる。
【００４４】
本実施例によれば、前述したように第１熱伝導部材１１は枠状をなしており、中央域に第１透光用窓開口２１を有する。このため第１透光用窓開口２１の周囲には第１熱伝導部材１１の熱伝導材料が存在している。故に、液晶パネル５及び偏光板６をこれの周囲から冷却でき、偏光板６の冷却ムラの低減を図り得る。
【００４５】
第２熱伝導部材１２の第２透光用窓開口２２に対面するように保持される液晶パネル５及び偏光板６についても同様に、冷却ムラの低減を図り得る。また第３熱伝導部材１３の第３透光用窓開口２３に対面するように保持される液晶パネル５及び偏光板６についても同様に、冷却ムラの低減を図り得る。
【００４６】
（第２実施例）
以下、本発明の第２実施例を図５を参照して具体的に説明する。第２実施例は第１実施例と基本的には同様の構成であり、同様の作用効果を奏する。共通する部位には基本的には共通の符号を付する。以下、第１実施例と相違する部分を中心として説明する。第１熱伝導部材１１は、赤色（Ｒ）の波長を透過させる光路（第１光路）に関するものである。第２熱伝導部材１２は、青色（Ｂ）の波長を透過させる光路（第２光路）に関するものである。第３熱伝導部材１３は、緑色（Ｇ）の波長を透過させる光路（第１光路）に関するものである。
【００４７】
経験的には、赤色、緑色、青色の光のうち、青色の波長をもつ光は、液晶パネル５及び偏光板６やレンズ等の光学系部品の温度を上昇させる傾向があると考えられている。このため本実施例によれば、青色の波長をもつ光の光路（第２光路）に関する第２熱伝導部材１２の冷却能は、第１熱伝導部材１１の冷却能、第３熱伝導部材１３の冷却能よりも大きく設定されている。
【００４８】
具体的には、青色（Ｂ）の光の光路に配置された第２熱伝導部材１２の厚みは、赤色（Ｒ）の光の光路に配置された第１熱伝導部材１１の厚み、緑色（Ｇ）の光の光路に配置された第３熱伝導部材１３の厚みよりも大きく設定されている。従って、第２熱伝導部材１２の熱伝導は、第１熱伝導部材１１の熱伝導、第３熱伝導部材１３の熱伝導よりも大きく設定されている。
【００４９】
（第３実施例）
以下、本発明の第３実施例を図６を参照して具体的に説明する。第３実施例は第１実施例と基本的には同様の構成であり、同様の作用効果を奏する。共通する部位には基本的には共通の符号を付する。以下、第１実施例と相違する部分を中心として説明する。ペルチェ素子装置３の放熱面３ｂには冷媒蒸発部４０が一体的に接続されている。熱伝導性が良好な冷媒蒸発部４０は、ヒートパイプ７の一部分である。
【００５０】
ヒートパイプ７は、ヒートパイプ７に内蔵している冷媒を蒸発させて吸熱する冷媒蒸発部４０と、冷媒を凝縮させると共に放熱する冷媒凝縮部７１と、冷媒蒸発部４０と冷媒凝縮部７１との間において冷媒を循環させる冷媒通路７２とをもつ。
【００５１】
ペルチェ素子装置３の放熱面３ｂから発する熱は、冷媒蒸発部４０で冷媒が気化することで放熱される。放熱作用をもつ冷媒凝縮部７１は冷媒蒸発部４０から遠ざけて設けられており、冷媒蒸発部４０の昇温を抑制するのに有利となる。
【００５２】
このように本実施例によれば、ペルチェ素子装置３、ヒートパイプ７とを併用するため、熱伝導部材１による冷却能力を向上させるのに有利であり、液晶パネル５及び偏光板６の熱劣化を抑制するのに貢献でき、ひいては液晶パネル５及び偏光板６の長寿命化を一層図り得る。
【００５３】
（第４実施例）
以下、本発明の第４実施例を図７を参照して具体的に説明する。第４実施例は第１実施例と基本的には同様の構成であり、同様の作用効果を奏する。共通する部位には基本的には共通の符号を付する。以下、相違する部分を中心として説明する。
【００５４】
図７に示すように、熱伝導部材１は、断面Ｌ字形状の第１熱伝導部材１１と、断面Ｌ字形状の第２熱伝導部材１２と、断面Ｌ字形状の第３熱伝導部材１３とを組み付けて構成されている。第１熱伝導部材１１は、第１透光用窓開口２１を有する縦板１７と、これに連接された横板１８とで形成されている。第２熱伝導部材１２は、第２透光用窓開口２２を有する縦板１７と、これに連接された横板１８とで形成されている。第３熱伝導部材１３は、第３透光用窓開口２３を有する縦板１７と、これに連接された横板１８とで形成されている。
【００５５】
なお、図７に示すように、各縦板１７は上下方向に延設されている。各横板１８は互いに遠ざかる方向に延設されている。これにより熱伝導部材１全体の冷却能を高めつつ、姿勢安定性を高めることができる。
【００５６】
図７に示すように、第１熱伝導部材１１〜第３熱伝導部材１３の各横板１８には、冷却手段としてのペルチェ素子装置３がそれぞれ個別に取り付けられている。各ペルチェ素子装置３の吸熱面３ａは横板１８の底面に取り付けられている。各ペルチェ素子装置３は互いに独立して冷却能を発揮するように設定されている。
【００５７】
ペルチェ素子装置３が通電されて作動すると、ペルチェ素子装置３の吸熱面３ａの吸熱作用により横板１８が冷却され、ひいては第１熱伝導部材１１〜第３熱伝導部材１３が冷却される。
【００５８】
ペルチェ素子装置３の放熱面３ｂには、放熱面積を増加させる放熱フィン４ａをもつヒートシンク４が設けられている。なお、ヒートシンク４は、放熱面積を増加させるべく広面積化されており、第１熱伝導部材１１〜第３熱伝導部材１３の横板１８を保持している。
【００５９】
本実施例によれば、前述したように第１熱伝導部材１１〜第３熱伝導部材１３には、それぞれ個別に冷却手段であるペルチェ素子装置３が取り付けられている。しかも熱伝導性が良好な材料で形成された第１熱伝導部材１１〜第３熱伝導部材１３は、互いに熱的に接触して伝熱可能とされており、第１熱伝導部材１１〜第３熱伝導部材１３間において熱移動可能とされている。
【００６０】
故に、第１熱伝導部材１１〜第３熱伝導部材１３に個別に設けられているペルチェ素子装置３の一つが万一故障したとしても、他のペルチェ素子装置３が正常に作動するため、第１熱伝導部材１１〜第３熱伝導部材１３を冷却でき、ひいては第１熱伝導部材１１〜第３熱伝導部材１３に取り付けられている液晶パネル５及び偏光板６を冷却でき、信頼性を一層高めることができる。
【００６１】
（第５実施例）
以下、本発明の第５実施例を図８を参照して具体的に説明する。第５実施例は前記した第４実施例と基本的には同様の構成であり、同様の作用効果を奏する。以下、第４実施例と相違する部分を中心として説明する。この熱伝導部材１は、断面Ｌ字形状の第１熱伝導部材１１と、断面Ｌ字形状の第２熱伝導部材１２と、断面Ｌ字形状の第３熱伝導部材１３とを有している。
【００６２】
第１熱伝導部材１１〜第３熱伝導部材１３の各横板１８には、冷却手段としてのペルチェ素子装置３がそれぞれ個別に取り付けられている。各ペルチェ素子装置３は、互いに独立して冷却能を発揮できるようにされている。
【００６３】
第１熱伝導部材１１は、赤色（Ｒ）の波長を透過させる光路に配置されている。第２熱伝導部材１２は、青色（Ｂ）の波長を透過させる光路（第２光路）に配置されている。第３熱伝導部材１３は、緑色（Ｇ）の波長を透過させる光路に配置されている。
【００６４】
本実施例によれば、青色（Ｂ）の波長をもつ光の光路（第２光路）に配置されている第２熱伝導部材１２の冷却能は、第１熱伝導部材１１の冷却能、第３熱伝導部材１３の冷却能よりも大きく設定されている。
【００６５】
具体的には、第２熱伝導部材１２に取り付けられているペルチェ素子装置３の単位時間当たりの冷却能は、第１熱伝導部材１１に取り付けられているペルチェ素子装置３の単位時間当たりの冷却能、第３熱伝導部材１３に取り付けられているペルチェ素子装置３の単位時間当たりの冷却能よりも大きく設定されている。これにより青色（Ｂ）の波長をもつ光の光路（第２光路）に配置されている昇温しがちの第２熱伝導部材１２の冷却能を効果的に確保することができる。
【００６６】
なお、図示はしないものの、青色（Ｂ）の波長をもつ光の光路（第２光路）に配置されている第２熱伝導部材１２の厚みを、第１熱伝導部材１１の厚み、第３熱伝導部材１３の厚みよりも大きく設定する形態とすることもできる。
【００６７】
（第６実施例）
以下、本発明の第６実施例を図９を参照して具体的に説明する。第６実施例は第４実施例と基本的には同様の構成であり、同様の作用効果を奏する。以下、第１実施例と相違する部分を中心として説明する。この熱伝導部材１Ｂは、透光用窓開口３０ｘを有する角枠状をなすペルチェ素子装置で構成されており、吸熱面３ａと放熱面３ｂとを有する。
【００６８】
ヒートパイプ７は、前述したように、冷媒を蒸発させて吸熱する冷媒蒸発部７０と、冷媒を凝縮させる冷媒凝縮部７１と、冷媒蒸発部７０と冷媒凝縮部７１との間で冷媒を循環させる冷媒通路７２とをもつ。ヒートパイプ７の冷媒蒸発部７０は、光を透過能な透光用窓開口７０ｘを有する角枠形状とされている。但し、角枠形状に限らず、円形状等の他の形状の枠としても良い。
【００６９】
図９に示すように、熱伝導部材１Ｂを構成するペルチェ素子装置の透光用窓開口３０ｘと冷媒蒸発部７０の透光用窓開口７０ｘとは、互いに対面して連通する。吸熱作用を発揮する冷媒蒸発部７０は、熱伝導部材１Ｂを構成するペルチェ素子装置の放熱面３ｂに接合されている。接合手段としては接着剤または螺子止め等を例示できる。
【００７０】
図９に示すように、熱伝導部材１Ｂを構成するペルチェ素子装置の吸熱面３ａには、液晶パネル５及び偏光板６が順に積層状態に接合されている。
【００７１】
逆に、熱伝導部材１Ｂを構成するペルチェ素子装置の吸熱面３ａには、偏光板６、液晶パネル５の順に積層することにしても良い。
【００７２】
本実施例によれば、液晶パネル５の透光部５ａ及び偏光板６の透光部６ａが冷媒蒸発部７０の透光用窓開口７０ｘ、熱伝導部材１Ｂを構成するペルチェ素子装置の透光用窓開口３０ｘに対面するように、偏光板６及び液晶パネル５は熱伝導部材１Ｂに配設されている。これにより偏光板６及び液晶パネル５は熱伝導部材１Ｂの吸熱面３ａにより冷却される。
【００７３】
図９に示すように、冷媒蒸発部７０は３個設けられており、冷媒通路７２ｍにより直列的に接続されている。場合によっては、複数の冷媒蒸発部７０を冷媒通路７２ｍにより並列的に接続することにしても良い。
【００７４】
上記したように本実施例によれば、熱伝導部材１Ｂを構成するペルチェ素子装置と、ヒートパイプ７とを併用しているため、偏光板６及び液晶パネル５に対する冷却能力を向上させるのに有利であり、液晶パネル５及び偏光板６の熱劣化を抑制するのに貢献でき、液晶パネル５及び偏光板６の長寿命化を一層図り得る。
【００７５】
なお、透光用窓開口３０ｘを有するペルチェ素子装置は角枠状に限らず、円枠形状としても良い。また透光用窓開口３０ｘを有する枠形状をなすペルチェ素子装置は、Ｌ字形状のものと、逆Ｌ字形状のものとを角枠状に組み付けて形成しても良い。透光用窓開口７０ｘを有する冷媒蒸発部７０は、角枠状に限らず、円枠形状としても良い。
【００７６】
（適用例）
図１０は、上記した各実施例をプロジェクタ装置の一例に適用した適用例を示す。図１０に示すように、プロジェクタ装置は、光源１００と、拡散板１０１と、反射板１０２，１０６，１０７と、分光板１０３，１０４，１０５と、３つの液晶パネル５と、各液晶パネル５に対面する３つの偏光板６と、プリズム２００と、投光レンズ２０１と、これらの光学系部品を収容するハウジング２０２とを有する。
【００７７】
分光板１０３，１０４，１０５はダイロックミラーとも呼ばれる。図１０においてＲは赤色の波長の光の光路を示す。Ｇは緑色の波長の光の光路を示す。Ｂは青色の波長の光の光路を示す。
【００７８】
プリズム２００は、赤色の光、緑色の光、青色の光を合成するためのものであり、３つの液晶パネル５の中央域に配置されている。プリズム２００で合成された合成光は、投影レンズ２０１を経て外部に矢印Ｗ１方向に投光される。
【００７９】
図１０に示すＫＡは、上記した実施例に係る部分を示す。本適用例においては、、上記した実施例に係る熱伝導部材（図１０においては図略）により液晶パネル５及び偏光板６は冷却される。
【００８０】
拡散板１０１、分光板１０３，１０４，１０５、反射板１０２，１０６，１０７も光学系部品である。従って上記した拡散板１０１、分光板１０３，１０４，１０５、反射板１０２，１０６，１０７の少なくとも一つについても、これらを熱伝導部材に直接的に配置し、その熱伝導部材を冷却手段（ペルチェ素子装置またはヒートパイプ）で冷却することにしても良い。
【００８１】
（他の例）
上記した第１実施例によれば、第１熱伝導部材１１〜第３熱伝導部材１３は、四角形状とされているが、円形状でも、楕円形状でも良い。第１熱伝導部材１１〜第３熱伝導部材１３の透光用窓開口２１〜２３は、四角形状とされているが、円形状でも、楕円形状でも良い。
【００８２】
第１熱伝導部材１１〜第３熱伝導部材１３の透光用窓開口２１〜２３の周囲は、第１熱伝導部材１１〜第３熱伝導部材１３の部分により包囲されているが、これに限らず、第１熱伝導部材１１〜第３熱伝導部材１３の透光用窓開口２１〜２３は周方向に切欠を有する形態でも良い。液晶パネル５に代えてＥＬパネル等の他のディスプレイとしても良い。
【００８３】
その他、本発明は上記し且つ図面に示した実施例のみに限定されるものではなく、要旨を逸脱しない範囲内で適宜変更して実施できるものである。上記した記載から次の技術的思想も把握できる。
（付記項１）厚み方向に貫通する透光用窓開口を有する枠状をなす冷媒蒸発部を有することを特徴とするヒートパイプ。ヒートパイプが光学系部品の光路に配置されたとき、光路を確保しつつ、光学系部品を冷却できる。
（付記項２）厚み方向に貫通すると共に光学系部品が取り付けられる透光用窓開口を有する枠状をなす冷媒蒸発部を有することを特徴とするヒートパイプ。ヒートパイプが光学系部品の光路に配置されたとき、光路を確保しつつ、光学系部品を冷却できる。
（付記項３）厚み方向に貫通すると共に光学系部品が取り付けられる透光用窓開口を有する枠状をなすことを特徴とするペルチェ素子装置。ペルチェ素子装置が光学系部品の光路に配置されたとき、光路を確保しつつ、光学系部品を冷却できる。
【００８４】
【発明の効果】
本発明によれば、光学系部品を熱伝導部材により効率よく冷却することにより光学系部品を効果的に冷却できる画像装置、ペルチェ素子装置を提供することができる。
【図面の簡単な説明】
【図１】第１実施例に係り、透光用窓開口をもつ熱伝導部材（光学系部品を取り付ける前の状態）の全体の斜視図である。
【図２】透光用窓開口をもつ熱伝導部材にペルチェ素子装置及びヒートシンクを装備した状態を示す正面図である。
【図３】第１実施例に係り、透光用窓開口に液状パネル及び偏光板を取り付けた熱伝導部材にペルチェ素子装置及びヒートシンクを装備した状態を示す斜視図である。
【図４】透光用窓開口に液状パネル及び偏光板を取り付けた熱伝導部材の要部の断面図である。
【図５】第２実施例に係り、透光用窓開口に液状パネル及び偏光板を取り付けた熱伝導部材にペルチェ素子装置及びヒートシンクを装備した状態を示す斜視図である。
【図６】第３実施例に係り、透光用窓開口に液状パネル及び偏光板を取り付けた熱伝導部材にペルチェ素子装置及びヒートシンクを装備した状態を示す斜視図である。
【図７】第４実施例に係り、透光用窓開口に液状パネル及び偏光板を取り付けた熱伝導部材にペルチェ素子装置及びヒートシンクを装備した状態を示す斜視図である。
【図８】第５実施例に係り、透光用窓開口に液状パネル及び偏光板を取り付けた熱伝導部材にペルチェ素子装置及びヒートシンクを装備した状態を示す斜視図である。
【図９】第６実施例に係り、ペルチェ素子装置で形成した熱伝導部材の透光用窓開口に液状パネル及び偏光板を取り付ける状態を示す斜視図である。
【図１０】適用例に係り、プロジェクタ装置の概念図である。
【符号の説明】
図中、１は熱伝導部材、２は透光用窓開口、３はペルチェ素子装置（冷却手段）、５は液晶パネル（光学系部品）、６は偏光板（光学系部品）を示す。
【図１】
2004317956.tif 000003
【図２】
2004317956.tif 000004
【図３】
2004317956.tif 000005
【図４】
2004317956.tif 000006
【図５】
2004317956.tif 000007
【図６】
2004317956.tif 000008
【図７】
2004317956.tif 000009
【図８】
2004317956.tif 000010
【図９】
2004317956.tif 000011
【図１０】
2004317956.tif 000012